(57)【要約】      （修正有）【課題】紙類やカード類を挾むときに、クリップ操作器等を用いることなく挾めると共に、紙類等を挾んで保持した状態において紙類等の裏面から外方へ大きく突出せず、又、ペーパーホルダーのボードやカードホルダーのカード保持板に安定した姿勢で取り付けられるクリップを提供する。【解決手段】対向状の上側挾持板部１ａ及び下側挾持板部１ｂと、両挾持板部１ａ，１ｂの基端同士を接続する背板部１ｃとから成り、両挾持板部１ａ，１ｂの間に紙類又はカード類を挾んで保持するクリップ１に於いて、下側挾持板部１ｂをフラットなプレート状に形成すると共に、下側挾持板部１ｂの長さを上側挾持板部１ａの長さよりも長くして下側挾持板部１ｂの先端部側を上側挾持板部１ａの先端から前方へ突出させ、又、上側挾持板部１ａの先端部に外側へ曲がる湾曲部１ａ′を形成し、当該湾曲部１ａ′を下側挾持板部１ｂの内側面へ弾性的に当接させる。【選択図】図１
0003152472.tif 000002
【実用新案登録請求の範囲】
【請求項１】
対向状に配設した上側挾持板部（１ａ）及び下側挾持板部（１ｂ）と、上側挾持板部（１ａ）及び下側挾持板部（１ｂ）の基端同士を接続する背板部（１ｃ）とから成り、上側挾持板部（１ａ）と下側挾持板部（１ｂ）の間に複数枚の紙類（Ｐ）又はカード類（Ｃ）を挾んで保持するようにした弾性を有する金属板又は合成樹脂板により形成したクリップ（１）に於いて、前記下側挾持板部（１ｂ）をフラットなプレート状に形成すると共に、下側挾持板部（１ｂ）の長さを上側挾持板部（１ａ）の長さよりも長くして下側挾持板部（１ｂ）の先端部側を上側挾持板部（１ａ）の先端から前方へ突出させ、又、前記上側挾持板部（１ａ）の先端部に外側へ曲がる湾曲部（１ａ′）を形成し、当該湾曲部（１ａ′）を下側挾持板部（１ｂ）の内側面へ弾性的に当接させたことを特徴とするクリップ。
【請求項２】
下側挾持板部（１ｂ）の長さを上側挾持板部（１ａ）の長さの数倍の長さに設定したことを特徴とする請求項１に記載のクリップ。
【請求項３】
下側挾持板部（１ｂ）の外側面に粘着剤層（２）を形成したことを特徴とする請求項１又は請求項２に記載のクリップ。
【請求項４】
上側挾持板部（１ａ）の先端部に形成した湾曲部（１ａ′）の少なくとも二個所を筒状となるように外側へ巻き回して上側挾持板部（１ａ）の先端部に二つの筒部（１ａ″）を形成し、当該二つの筒部（１ａ″）に金属線材によりΩ状に形成されて上側挾持板部（１ａ）の長さよりも長い開閉用操作レバー（３）の両端部をそれぞれ回転自在に挿入し、上側挾持板部（１ａ）の先端部に開閉用操作レバー（３）を回動自在に取り付けたことを特徴とする請求項１、請求項２又は請求項３に記載のクリップ。
【考案の詳細な説明】
【技術分野】
【０００１】
本考案は、綴じていない書類やカタログ、パンフレット等の複数枚の紙類を挾んで保持したり、ＩＣカードや磁気カード、ポイントカード、定期券等の複数枚のカード類を挾んで保持したり、或いは書類等の紙類を集積保持するペーパーホルダーやＩＣカード等のカード類を収納保持するカードホルダーに用いるクリップに係り、特に、紙類やカード類を挾むときに、クリップ操作器等の器具を用いることなく挾むことができると共に、紙類やカード類を挾んで保持した状態において紙類やカード類の裏面から外方へ大きく突出すると云うことがなく、又、ペーパーホルダーやカードホルダーに用いた場合に、ペーパーホルダーのボードやカードホルダーのカード保持板に安定した姿勢で簡単且つ容易に取り付けることができるようにしたクリップに関するものである。
【背景技術】
【０００２】
一般に、オフィス等に於いては、クリップを用いて綴じていない書類等の紙類を挾み込んで保持し、書類等の紙類を綴じることが行われている。
【０００３】
従来、書類等の紙類を綴じるクリップとしては、弾性を有する薄い金属板をほぼコ字形に折り曲げたクリップ（例えば、特許文献１、特許文献２及び特許文献３参照）や同じく弾性を有する薄い金属板をほぼコ字形に折り曲げたクリップ本体の両側先端部に開閉用の摘みを回動自在に取り付けたクリップ（例えば、特許文献１及び特許文献３参照）が知られている。
【０００４】
即ち、前者のクリップ１０は、図１２（Ａ）に示す如く、対向状に配設され、先端が外側へ反り返ると共に、先端部同士が弾性的に当接する一対の挾持板部１０ａ，１０ａと、両挾持板部１０ａ，１０ａの基端同士を接続する背板部１０ｂとから成り、両挾持板部１０ａ，１０ａ間に複数枚の紙類を挾んで保持するようにしたものである。
【０００５】
又、後者のクリップ１１は、図１２（Ｂ）に示す如く、対向状に配設され、先端に一対の筒部１２ａ′を有すると共に、先端部同士が弾性的に当接する一対の挾持板部１２ａ，１２ａと、両挾持板部１２ａ，１２ａの基端同士を接続する背板部１２ｂとから成るクリップ本体１２と、クリップ本体１２の筒部１２ａ′に回動自在に取り付けられ、一対の挾持板部１２ａ，１２ａの先端を強制的に離間させる金属線材をΩ状に折り曲げて形成した一対の摘み１３，１３とから構成されており、クリップ本体１２の一対の挾持板部１２ａ，１２ａ間に複数枚の紙類を挾んで保持するようにしたものである。
【０００６】
上述したクリップ１０，１１に於いては、何れも書類等の紙類を挾んで保持したときに、綴じ込み強さを確保する必要性があるので、挾持力が強く設定されており、一対の挾持板部１０ａ，１０ａ，１２ａ，１２ａを開くのに非常に強い力を要することになる。
【０００７】
ところで、前者のクリップ１０は、後者のクリップ１１のように一対の挾持板部１０ａ，１０ａを離間させるための摘み１３，１３を備えていないため、特許文献１の図６に示すクリップ操作器や特許文献２の図３乃至図５に示すクリップドライバを用いなければ、挾持力の強い一対の挾持板部１０ａ，１０ａを開くことができず、書類等の紙類を綴じることができないと云う問題があった。
又、前者のクリップ１０は、一対の挾持板部１０ａ，１０ａの先端がそれぞれ外側へ反り返っているため、書類等の紙類を挾んで綴じたときに、一対の挾持板部１０ａ，１０ａの先端部分が紙類の表裏面から外方へ突出し、邪魔になると云う問題があった。例えば、クリップ１０で綴じた書類を机の上に複数部積み重ねたり、或いはクリップ１０で綴じた書類を机のキャビネット内や書類棚に複数部縦向き姿勢で収納したときに、クリップ１０の一部が書類の表裏面から外方へ突出しているので、大きく嵩張ることになる。
【０００８】
一方、後者のクリップ１１は、一対の挾持板部１２ａ，１２ａの先端部に筒部１２ａ′を形成し、当該筒部１２ａ′に摘み１３を取り付けているので、書類等の紙類を挾んで保持したときに、筒部１２ａ′や摘み１３が紙類の表裏面から外方へ大きく突出することなり、前者のクリップ１０よりも弊害が大きくなると云う問題があった。
又、後者のクリップ１１は、一対の摘み１３，１３を備えているので、摘み１３，１３を操作することによって一対の挾持板部１２ａ，１２ａを開くことができるが、ある程度の力で一対の摘み１３，１３を押圧操作しなければならないうえ、摘み１３，１３の押圧作業と紙類を両挾持板部１２ａ，１２ａの間に挿入する作業とを同時に行わなければならないので、厚みのある書類を綴じ難いと云う問題があった。
【先行技術文献】
【特許文献】
【０００９】
【特許文献１】実公昭５８−４６９８号公報
【特許文献２】特開平１１−３４８４７５号公報
【特許文献３】特開２００８−８０５０５号公報
【考案の概要】
【考案が解決しようとする課題】
【００１０】
本考案は、このような問題点に鑑みて為されたものであり、その目的は、綴じていない書類等の紙類やＩＣカード等のカード類を挾むときに、クリップ操作器等の器具を用いることなく挾むことができると共に、紙類やカード類を挾んで保持した状態において紙類やカード類の裏面から外方へ大きく突出すると云うことがなく、又、ペーパーホルダーやカードホルダーに用いた場合に、ペーパーホルダーのボードやカードホルダーのカード保持板に安定した姿勢で簡単且つ容易に取り付けられるようにしたクリップを提供することにある。
【課題を解決するための手段】
【００１１】
上記目的を達成するために、本考案の請求項１の考案は、対向状に配設した上側挾持板部及び下側挾持板部と、上側挾持板部及び下側挾持板部の基端同士を接続する背板部とから成り、上側挾持板部と下側挾持板部の間に複数枚の紙類又はカード類を挾んで保持するようにした弾性を有する金属板又は合成樹脂板により形成したクリップに於いて、前記下側挾持板部をフラットなプレート状に形成すると共に、下側挾持板部の長さを上側挾持板部の長さよりも長くして下側挾持板部の先端部側を上側挾持板部の先端から前方へ突出させ、又、前記上側挾持板部の先端部に外側へ曲がる湾曲部を形成し、当該湾曲部を下側挾持板部の内側面へ弾性的に当接させたことに特徴がある。
【００１２】
本考案の請求項２の考案は、請求項１に記載の考案に於いて、下側挾持板部の長さを上側挾持板部の長さの数倍の長さに設定したことに特徴がある。
【００１３】
本考案の請求項３の考案は、請求項１又は請求項２に記載の考案に於いて、下側挾持板部の外側面に粘着剤層を形成したことに特徴がある。
【００１４】
本考案の請求項４の考案は、請求項１、請求項２又は請求項３に記載の考案に於いて、上側挾持板部の先端部に形成した湾曲部の少なくとも二個所を筒状となるように外側へ巻き回して上側挾持板部の先端部に二つの筒部を形成し、当該二つの筒部に金属線材によりΩ状に形成されて上側挾持板部の長さよりも長い開閉用操作レバーの両端部をそれぞれ回転自在に挿入し、上側挾持板部の先端部に開閉用操作レバーを回動自在に取り付けたことに特徴がある。
【考案の効果】
【００１５】
本考案の請求項１に係るクリップは、対向状に配設した上側挾持板部及び下側挾持板部のうち、下側挾持板部をフラットなプレート状に形成しているため、上側挾持板部と下側挾持板部の間に複数枚の紙類やカード類を挾んで保持したときに、クリップの片側部分（下側挾持板部）が紙類やカード類の片面から外方へ大きく突出すると云うことがなく、クリップの片側部分の引っ掛かりがなくなってスムースに取り扱えることになる。
【００１６】
又、本考案の請求項１に係るクリップは、フラットなプレート状に形成した下側挾持板部の長さを上側挾持板部の長さよりも長くし、下側挾持板部の先端部側を上側挾持板部の先端から前方へ突出させ、又、上側挾持板部の先端部に外側へ曲がる湾曲部を形成し、当該湾曲部を下側挾持板部の内側面へ弾性的に当接させているため、複数枚の紙類やカード類を挾んで保持する際に、下側挾持板部の先端部内側面を紙類やカード類の一辺裏面に押し当て、この状態で紙類やカード類を下側挾持板部に沿って上側挾持板部の先端へ向かってスライドさせると、紙類やカード類により上側挾持板部の湾曲部が下側挾持板部から離間する方向へ押し上げられ、紙類やカード類が上側挾持板部と下側挾持板部との間に挿入されることになる。
その結果、本考案の請求項１に係るクリップは、クリップ操作器やクリップドライバ等の器具を用いなくても、紙類やカード類を挾んで保持することができる。
【００１７】
更に、本考案の請求項１に係るクリップは、下側挾持板部の長さを上側挾持板部の長さよりも長くしているため、下側挾持板部と紙類又はカード類との接触面積が増え、紙類やカード類を安定した状態で保持することができる。
【００１８】
加えて、本考案の請求項１に係るクリップは、下側挾持板部をフラットなプレート状に形成しているため、書類等の紙類を集積保持するペーパーホルダーやＩＣカード等のカード類を収納保持するカードホルダーのクリップとして用いる場合に、下側挾持板部をペーパーホルダーのボードやカードホルダーのカード保持板の片面に密着する状態で取り付けることができ、ボードやカード保持板に安定した姿勢で取り付けることができる。
【００１９】
本考案の請求項２乃至請求項４に係るクリップは、上記効果に加えて更に次のような優れた効果を奏することができる。
【００２０】
即ち、本考案の請求項２に係るクリップは、下側挾持板部の長さを上側挾持板部の長さの数倍の長さに設定しているため、紙類やカード類を挾んで保持する際に、下側挾持板部の内側面に押し当てた紙類やカード類を下側挾持板部に沿ってスライドさせ易くなり、紙類やカード類を上側挾持板部と下側挾持板部との間により一層挿入し易くなる。
【００２１】
又、本考案の請求項２に係るクリップは、下側挾持板部と紙類又はカード類との接触面積が増えるので、紙類やカード類を挾んで保持したときに、より安定した状態で紙類やカード類を保持することができる。
【００２２】
更に、本考案の請求項２に係るクリップは、下側挾持板部の長さを上側挾持板部の長さの数倍の長さに設定しているため、ペーパーホルダーやカードホルダーのクリップとして使用する場合に、下側挾持板部とペーパーホルダーのボード又はカードホルダーのカード保持板との接触面積が増えることになり、ボードやカード保持板により一層安定した姿勢で取り付けることができる。
【００２３】
本考案の請求項３に係るクリップは、フラットなプレート状の下側挾持板部の外側面に粘着剤層を形成しているため、ペーパーホルダーやカードホルダーのクリップとして用いる場合に、下側挾持板部を粘着剤層によりペーパーホルダーのボードやカードホルダーのカード保持板の片面に貼り付けることによって、ボードやカード保持板に簡単且つ容易に取り付けることができると共に、ボードやカード保持板に対して位置ずれを起すことなく、安定した姿勢で取り付けることができる。
【００２４】
本考案の請求項４に係るクリップは、上側挾持板部の先端部に形成した湾曲部の少なくとも二個所を筒状となるように外側へ巻き回して上側挾持板部の先端部に二つの筒部を形成し、当該二つの筒部に金属線材によりΩ状に形成されて上側挾持板部の長さよりも長い開閉用操作レバーの両端部をそれぞれ回転自在に挿入し、上側挾持板部の先端部に開閉用操作レバーを回動自在に取り付けているため、紙類やカード類を挾んで保持する際に、下側挾持板部の先端部内側面を紙類やカード類の一辺裏面に押し当て、この状態で背板部側へ回動させた開閉用操作レバーを押すと、下側挾持板部が紙類やカード類の一辺裏面に係止された状態になっていることとも相俟って、開閉用操作レバーが上側挾持板部と背板部の境界部分を支点として上側挾持板部の先端部を下側挾持板部から大きく離間させ、上側挾持板部の先端部と下側挾持板部との間に挿入用の開口が形成されることになる。
即ち、本考案の請求項４に係るクリップは、開閉用操作レバーにより上側挾持板部を下側挾持板部から大きく離間させることができるため、厚めの書類であっても、又、多数枚のカード類であっても簡単且つ容易に挾んで保持することができる。
【図面の簡単な説明】
【００２５】
【図１】本考案の実施の形態に係るクリップの拡大斜視図である。
【図２】図１に示すクリップの使用状態を示し、書類を綴じた状態の一部省略拡大側面図である。
【図３】図１に示すクリップの使用状態を示し、複数枚のカードを保持した状態の斜視図である。
【図４】本考案の他の実施の形態に係るクリップの拡大斜視図である。
【図５】本考案の更に他の実施の形態に係るクリップの拡大側面図である。
【図６】クリップをカードホルダーのクリップとして用いた場合の正面図である。
【図７】本考案の更に他の実施の形態に係るクリップの拡大斜視図である。
【図８】図７に示すクリップの使用状態を示し、書類を綴じた状態の一部省略拡大側面図である。
【図９】本考案の更に他の実施の形態に係るクリップの拡大斜視図である。
【図１０】本考案の更に他の実施の形態に係るクリップの拡大側面図である。
【図１１】開閉用操作レバーを備えたクリップをカードホルダーのクリップとして用いた場合の正面図である。
【図１２】従来のクリップを示し、（Ａ）は弾性を有する薄い金属板をほぼコ字形に折り曲げたクリップの拡大斜視図、（Ｂ）は弾性を有する薄い金属板をほぼコ字形に折り曲げたクリップ本体の両側先端部に開閉用の摘みを取り付けたクリップの拡大斜視図である。
【考案を実施するための形態】
【００２６】
以下、本考案の実施の形態を図面に基づいて詳細に説明する。
図１は本考案の実施の形態に係るクリップ１を示し、当該クリップ１は、対向状に配設した上側挾持板部１ａ及び下側挾持板部１ｂと、上側挾持板部１ａ及び下側挾持板部１ｂの基端同士を接続する背板部１ｃとから成り、上側挾持板部１ａと下側挾持板部１ｂの間に綴じられていない書類等の紙類ＰやＩＣカード等のカード類Ｃを挾んで保持するようにしたものである。
【００２７】
即ち、前記クリップ１は、弾性を有する一枚の薄い帯状のステンレス板をほぼコ字状に折り曲げることにより形成されており、ほぼ正方形状に形成した上側挾持板部１ａと、上側挾持板部１ａと同じ幅で且つ上側挾持板部１ａの長さよりも長い長方形状に形成されて上側挾持板部１ａに対向する下側挾持板部１ｂと、上側挾持板部１ａ及び下側挾持板部１ｂの基端同士を接続する横長の長方形状に形成した背板部１ｃとから成る。
【００２８】
又、下側挾持板部１ｂは、フラットなプレート状に形成されており、その先端部側が上側挾持板部１ａの先端から前方へ大きく突出した状態となっている。この下側挾持板部１ｂの前方へ突出した先端部分は、上側挾持板部１ａと下側挾持板部１ｂとの間に紙類Ｐやカード類Ｃを挿入するときに、紙類Ｐやカード類Ｃをガイドする機能を有する。
尚、この実施の形態に於いては、下側挾持板部１ｂの長さは、上側挾持板部１ａの長さの約２倍程度の長さに設定されている。
【００２９】
更に、上側挾持板部１ａの先端部には、外側へ曲げられて下側挾持板部１ｂの内側面へ弾性的に当接する湾曲部１ａ′が形成されている。この湾曲部１ａ′も、上側挾持板部１ａと下側挾持板部１ｂとの間に紙類Ｐやカード類Ｃを挿入するときに、紙類Ｐやカード類Ｃをガイドする機能を有する。
【００３０】
尚、クリップ１の弾性力は、上側挾持板部１ａと下側挾持板部１ｂとの間に複数枚の紙類Ｐやカード類Ｃを挿入することができ、且つ上側挾持板部１ａと下側挾持板部１ｂとの間に挿入した複数枚の紙類Ｐやカード類Ｃを確実且つ良好に保持できるように設定されている。
【００３１】
而して、上述したクリップ１を用いて複数枚の紙類Ｐやカード類Ｃを挾んで保持する場合には、上側挾持板部１ａの先端から前方へ大きく突出する下側挾持板部１ｂの先端部内側面を紙類Ｐやカード類Ｃの一辺裏面へ押し当て、この状態で紙類Ｐやカード類Ｃを下側挾持板部１ｂに沿って上側挾持板部１ａの先端へ向かってスライドさせる。
そうすると、上側挾持板部１ａの湾曲部１ａ′が紙類Ｐやカード類Ｃにより下側挾持板部１ｂから離間する方向へ押し上げられ、紙類Ｐやカード類Ｃが上側挾持板部１ａと下側挾持板部１ｂとの間に挿入されて行き、上側挾持板部１ａと下側挾持板部１ｂとの間に挾まれた状態で保持されることになる（図２及び図３参照）。
尚、カード類Ｃは、一枚ずつ又は複数枚重ねた状態で上側挾持板部１ａと下側挾持板部１ｂとの間に挿入するようにしても良い。
【００３２】
上述したクリップ１は、クリップ操作器やクリップドライバ（何れも図示省略）等の器具を用いなくても、紙類Ｐやカード類Ｃを簡単且つ容易に挾んで保持することができる。
又、このクリップ１は、下側挾持板部１ｂがフラットなプレート状に形成されているため、紙類Ｐやカード類Ｃを挾んで保持したときに、クリップ１の下側挾持板部１ｂが紙類Ｐやカード類Ｃの片面から外方へ大きく突出すると云うことがなく、クリップ１の片側部分の引っ掛かりがなくなってスムースに取り扱える。
【００３３】
図４は本考案の他の実施の形態に係るクリップ１を示し、当該クリップ１は、図１に示すクリップ１の下側挾持板部１ｂの長さを更に長くしたものであり、その他の構成は、図１に示すクリップ１と同じ構造に構成されている。
尚、この実施の形態に於いては、下側挾持板部１ｂの長さは、上側挾持板部１ａの長さの約４倍程度の長さに設定されている。この下側挾持板部１ｂの長さは、これに限定されるものではなく、クリップ１の用途に応じて最適な長さに形成される。
【００３４】
上述したクリップ１は、図１に示すクリップ１と同様の作用効果を奏することができる。然も、このクリップ１は、下側挾持板部１ｂの長さをより長くしているため、紙類Ｐやカード類Ｃを挾んで保持する際に、下側挾持板部１ｂの内側面に押し当てた紙類Ｐやカード類Ｃを下側挾持板部１ｂに沿ってスライドさせ易くなり、紙類Ｐやカード類Ｃを上側挾持板部１ａと下側挾持板部１ｂとの間により一層挿入し易くなる。又、このクリップ１は、下側挾持板部１ｂと紙類Ｐ又はカード類Ｃとの接触面積が増えるので、紙類Ｐやカード類Ｃを挾んで保持したときに、より安定した状態で紙類Ｐやカード類Ｃを保持することができる。
【００３５】
図５は本考案の更に他の実施の形態に係るクリップ１を示し、当該クリップ１は、図１に示すクリップ１の下側挾持板部１ｂの外側面全域に粘着剤層２を形成したものであり、その他の構成は、図１に示すクリップ１と同じ構造に構成されている。
前記粘着剤層２は、下側挾持板部１ｂの外側面全域に両面粘着テープを貼り付けることにより形成されている。
又、粘着剤層２の表面には、図示していないが、粘着剤層２に対して表面剥離性を有する紙又はプラスチックフィルムから成る剥離紙が剥離自在に重ね貼りされている。
【００３６】
上述したクリップ１は、図１に示すクリップ１と同様の作用効果を奏することができる。然も、このクリップ１は、下側挾持板部１ｂの外側面に粘着剤層２を形成しているため、ペーパーホルダーやカードホルダーのクリップ１として用いる場合に、下側挾持板部１ｂを粘着剤層２によりペーパーホルダーのボードやカードホルダーのカード保持板の表面に貼り付けることによって、ボードやカード保持板に簡単且つ容易に取り付けることができると共に、ボードやカード保持板に対して位置ずれを起すことなく、安定した姿勢で取り付けることができる。
【００３７】
図６は下側挾持板部１ｂの外側面全域に粘着剤層２を形成したクリップ１をカードホルダーのクリップ１として用いたものであり、当該クリップ１をカードホルダーのカード保持板４の表面に取り付けている。
【００３８】
即ち、クリップ１は、下側挾持板部１ｂを粘着剤層２によりカード保持板４の一方の短辺側表面にカード保持板４の短辺に沿う姿勢で貼り付けた後、下側挾持板部１ｂの上から適宜の大きさのシール５をカード保持板４の表面に貼り付けることによって、カード保持板４の表面に取り付けられている。このクリップ１の下側挾持板部１ｂの長さは、カード保持板４の幅とほぼ同じに設定されている。
尚、カード保持板４は、アクリル等の合成樹脂板によりＩＣカードや磁気カード等のカード類Ｃとほぼ同じ大きさの長方形状に形成されており、その表面にカード類Ｃを支持載置できるようになっている。
又、シール５の表面には、カードの挿入方向を示す言葉や記号、メーカー名、商品名等の文字や図形、写真等が印刷表示されている。
【００３９】
上述したクリップ１を用いたカードホルダーにカード類Ｃを収納保持するには、カードをカード保持板４の表面に当接させ、この状態でカードをカード保持板４に沿わせてスライドさせ、カードの四隅の一個所をクリップ１の上側挾持板部１ａとカード保持板４との間に挿入する。これにより、カードホルダーは、カードをカード保持板４の表面に収納保持することができる。
又、このカードホルダーは、先にカード保持板４に収納保持されたカードの表面に別のカードを重ね合わせ、この状態で重ね合わせた別のカードを先のカードに沿わしてスライドさせ、スライドさせたカードの四隅の一個所をクリップ１の上側挾持板部１ａと先のカードとの間に挿入することによって、カードを重ねた状態で収納保持することができる。
尚、複数枚のカードを予め重ね合わせ、この重ね合わせたカードをカード保持板４に沿わせてスライドさせ、クリップ１の上側挾持板部１ａとカード保持板４との間に挿入するようにしても良い。
【００４０】
上述したクリップ１は、下側挾持板部１ｂをフラットなプレート状に形成しているため、下側挾持板部１ｂをカードホルダーのカード保持板４の表面に密着する状態で取り付けることができ、カード保持板４に安定した姿勢で取り付けることができる。
又、このクリップ１は、カード保持板４の表面側へ取り付けられるので、クリップ１がカード保持板４の裏面側から外方へ突出すると云うことがなく、カード保持板４の裏面側の引っ掛かりがなくなってスムースに取り扱える。
【００４１】
図７は本考案の更に他の実施の形態に係るクリップ１を示し、当該クリップ１は、図１に示すクリップ１の上側挾持板部１ａの先端部に形成した湾曲部１ａ′の少なくとも二個所を筒状となるように外側へ巻き回して上側挾持板部１ａの先端部に二つの筒部１ａ″を形成し、当該二つの筒部１ａ″に金属線材によりΩ状に形成されて上側挾持板部１ａの長さよりも長い開閉用操作レバー３の両端部をそれぞれ回転自在に挿入し、上側挾持板部１ａの先端部に開閉用操作レバー３を回動自在に取り付けたものであり、その他の構成は、図１に示すクリップ１と同じ構造に構成されている。
【００４２】
即ち、このクリップ１は、上側挾持板部１ａの先端部両側を筒状となるように外側へ巻き回して上側挾持板部１ａの先端部両側に二つの筒部１ａ″を形成すると共に、二つの筒部１ａ″の間に湾曲部１ａ′を形成したものである。この二つの筒部１ａ″と湾曲部１ａ′は、下側挾持板部１ｂの内側面へ弾性的に当接しており、何れも上側挾持板部１ａと下側挾持板部１ｂとの間に紙類Ｐやカード類Ｃを挿入するときに、紙類Ｐやカード類Ｃをガイドする機能を有するものである。
【００４３】
又、開閉用操作レバー３は、弾性を有する金属線材をΩ状に曲げることにより形成されており、その両端部を二つの筒部１ａ″に回転自在に挿入することによって、上側挾持板部１ａの先端部に回動自在に取り付けられている。この開閉用操作レバー３の長さは、上側挾持板部１ａの長さよりも長く設定されており、開閉用操作レバー３を上側挾持板部１ａ側へ回動させたときに開閉用操作レバー３の湾曲部１ａ′分が上側挾持板部１ａの基端から外方へ大きく突出するようになっている。
【００４４】
而して、上述したクリップ１を用いて複数枚の紙類Ｐやカード類Ｃを挾んで保持する場合、下側挾持板部１ｂの先端部内側面を紙類Ｐやカード類Ｃの一辺裏面に押し当て、この状態で背板部１ｃ側へ回動させた開閉用操作レバー３を押すと、下側挾持板部１ｂが紙類Ｐやカード類Ｃの一辺裏面に係止された状態になっていることとも相俟って、開閉用操作レバー３が上側挾持板部１ａと背板部１ｃの境界部分を支点として上側挾持板部１ａの先端部を下側挾持板部１ｂから大きく離間させ、上側挾持板部１ａの先端部と下側挾持板部１ｂとの間に挿入用の開口が形成されることになる。
この状態で上側挾持板部１ａの先端部と下側挾持板部１ｂとの間に形成された挿入用の開口に紙類Ｐやカード類Ｃを挿入し、開閉用操作レバー３の押圧状態を解除すると、紙類Ｐやカード類Ｃが上側挾持板部１ａの先端部と下側挾持板部１ｂとの間に挾まれた状態で保持される（図８参照）。
【００４５】
上述したクリップ１は、開閉用操作レバー３により上側挾持板部１ａを下側挾持板部１ｂから大きく離間させることができるため、厚めの書類であっても、又、多数枚のカード類Ｃであっても簡単且つ容易に挾んで保持することができる。
又、このクリップ１は、下側挾持板部１ｂをフラットなプレート状に形成しているため、上側挾持板部１ａと下側挾持板部１ｂの間に複数枚の紙類Ｐやカード類Ｃを挾んで保持したときに、クリップ１の下側挾持板部１ｂが紙類Ｐやカード類Ｃの片面から外方へ突出すると云うことがなく、クリップ１が邪魔になると云うことが少なくなると共に、クリップ１の片側部分の引っ掛かりがなくなってスムースに取り扱えることになる。
更に、このクリップ１は、紙類Ｐやカード類Ｃを下側挾持板部１ｂに沿ってスライドさせることにより、紙類Ｐやカード類Ｃを上側挾持板部１ａと下側挾持板部１ｂとの間に形成された挿入用の開口から上側挾持板部１ａと下側挾持板部１ｂとの間に容易に挿入させることができる。
【００４６】
図９は本考案の更に他の実施の形態に係るクリップ１を示し、当該クリップ１は、図７に示すクリップ１の下側挾持板部１ｂの長さを更に長くしたものであり、その他の構成は、図７に示すクリップ１と同じ構造に構成されている。
尚、この実施の形態に於いては、下側挾持板部１ｂの長さは、上側挾持板部１ａの長さの約４倍程度の長さに設定されている。この下側挾持板部１ｂの長さは、これに限定されるものではなく、クリップ１の用途に応じて自由である。
【００４７】
上述したクリップ１は、図７に示すクリップ１と同様の作用効果を奏することができる。然も、このクリップ１は、下側挾持板部１ｂの長さをより長くしているため、紙類Ｐやカード類Ｃを下側挾持板部１ｂに沿ってスライドさせ易くなり、紙類Ｐやカード類Ｃを上側挾持板部１ａと下側挾持板部１ｂとの間により一層挿入し易くなる。又、このクリップ１は、下側挾持板部１ｂと紙類Ｐ又はカード類Ｃとの接触面積が増えるので、紙類Ｐやカード類Ｃを挾んで保持したときに、より安定した状態で紙類Ｐやカード類Ｃを保持することができる。
【００４８】
図１０は本考案の更に他の実施の形態に係るクリップ１を示し、当該クリップ１は、図７に示すクリップ１の下側挾持板部１ｂの外側面全域に、両面粘着テープから成る粘着剤層２を形成したものであり、その他の構成は、図７に示すクリップ１と同じ構造に構成されている。
【００４９】
上述したクリップ１は、図７に示すクリップ１と同様の作用効果を奏することができる。然も、このクリップ１は、下側挾持板部１ｂの外側面に粘着剤層２を形成しているため、ペーパーホルダーやカードホルダーのクリップ１として用いる場合に、下側挾持板部１ｂを粘着剤層２によりペーパーホルダーのボードやカードホルダーのカード保持板４の表面に貼り付けることによって、ボードやカード保持板４に簡単且つ容易に取り付けることができると共に、ボードやカード保持板４に対して位置ずれを起すことなく、安定した姿勢で取り付けることができる。
【００５０】
図１１は下側挾持板部１ｂの外側面に粘着剤層２を形成した開閉用操作レバー３付きのクリップ１をカードホルダーのクリップ１として用いたものであり、当該クリップ１をカードホルダーのカード保持板４の表面に取り付けている。
【００５１】
即ち、クリップ１は、下側挾持板部１ｂを粘着剤層２によりカード保持板４の一方の短辺側表面にカード保持板４の短辺に沿う姿勢で貼り付けた後、下側挾持板部１ｂの上から適宜の大きさのシール５をカード保持板４の表面に貼り付けることによって、カード保持板４の表面に取り付けられている。
尚、カード保持板４は、アクリル等の合成樹脂板によりＩＣカードや磁気カード等のカード類Ｃとほぼ同じ大きさの長方形状に形成されており、その表面にカード類Ｃを支持載置できるようになっている。
又、シール５の表面には、カードの挿入方向を示す言葉や記号、メーカー名、商品名等の文字や図形、写真等が印刷表示されている。
【００５２】
上述したクリップ１は、図６に示すクリップ１と同様の作用効果を奏することができる。然も、このクリップ１は、開閉用操作レバー３を備えているため、上側挾持板部１ａを下側挾持板部１ｂから大きく離間させることができ、多数枚のカード類Ｃであっても簡単且つ容易に挾んで保持することができる。
【００５３】
尚、図１乃至図１１に示す実施の形態に於いては、何れもクリップ１を、弾性を有する金属板（ステンレス板）により形成したが、他の実施の形態に於いては、クリップ１を、弾性を有する合成樹脂板により形成するようにしても良い。
【００５４】
図６及び図１１に示す実施の形態に於いては、クリップ１をカードホルダーのクリップ１として用いたが、他の実施形態に於いては、図示していないが、クリップ１を単独でペーパーホルダーのクリップ１として用いても良く、或いはクリップ１をボードの表面に取り付けてペーパーホルダー（ボード付き）のクリップ１として用いても良い。
【００５５】
図６及び図１１に示す実施の形態に於いては、クリップ１を粘着剤層２及びシール５を用いてカードホルダーのカード保持板４の表面に取り付けるようにしたが、他の実施の形態に於いては、クリップ１を粘着剤層２のみによりカードホルダーのカード保持板４の表面やペーパーホルダーのボードの表面に取り付けるようにしても良い。又、クリップ１をＡ４サイズのボードに貼り付けるようにしても良い。
【００５６】
図６及び図１１に示す実施の形態に於いては、粘着剤層２を備えたクリップ１をカードホルダーのカード保持板４の表面に取り付けるようにしたが、他の実施の形態に於いては、図１〜図４に示すクリップ１や図７〜図９に示すクリップ１をシール５又は接着剤を用いてカードホルダーのカード保持板４の表面やペーパーホルダーのボードの表面に取り付けるようにしても良い。
【符号の説明】
【００５７】
１はクリップ、１ａは上側挾持板部、１ａ′は湾曲部、１ａ″は筒部、１ｂは下側挾持板部、１ｃは背板部、２は粘着剤層、３は開閉用操作レバー、Ｐは紙類、Ｃはカード類。
【図１】
0003152472.tif 000003
【図２】
0003152472.tif 000004
【図３】
0003152472.tif 000005
【図４】
0003152472.tif 000006
【図５】
0003152472.tif 000007
【図６】
0003152472.tif 000008
【図７】
0003152472.tif 000009
【図８】
0003152472.tif 000010
【図９】
0003152472.tif 000011
【図１０】
0003152472.tif 000012
【図１１】
0003152472.tif 000013
【図１２】
0003152472.tif 000014